(57)【要約】【課題】隠し文字等の印刷が可能で、さらに簡便に、形成された隠し文字等を判別できる記録方法の提供。【解決手段】イエローインク（Ｙ）、マゼンタインク（Ｍ）及びシアンインク（Ｃ）の３色インクと、前記ＹＭＣが有する色相角以外の色相角を有する１種以上の特色インクを、少なくとも備えるインクセットを用いた記録方法であって、（ｉ）　前記イエローインク、前記マゼンタインク及び前記シアンインクのうちの少なくとも１種と、１種以上の前記特色インクとを用いて記録媒体上に、調色し記録する段階と、（ｉｉ）　前記イエローインク、前記マゼンタインク及び前記シアンインクのうちの少なくとも１種を用いて記録媒体上に、調色し記録する段階とを含み、（ｉ）段階で記録された色と（ｉｉ）段階で記録された色が、任意の光源下においては、実質的に同一となるが、任意の他の光源下において、区別できるように調色することを特徴とする記録方法。【選択図】　なし【特許請求の範囲】
【請求項１】
イエローインク、マゼンタインク及びシアンインクの３色インクと、前記イエローインク、前記マゼンタインク及び前記シアンインクの有するＣＩＥＬＡＢ色空間において定義される色相角（Ｈ°）以外の色相角を有する１種以上の特色インクを、少なくとも備えるインクセットを用いた記録方法であって、
（ｉ）　前記イエローインク、前記マゼンタインク及び前記シアンインクのうちの少なくとも１種と、１種以上の前記特色インクとを用いて記録媒体上に、調色し記録する段階と、
（ｉｉ）　前記イエローインク、前記マゼンタインク及び前記シアンインクのうちの少なくとも１種を用いて記録媒体上に、調色し記録する段階と
を含み、
（ｉ）段階で記録された色と（ｉｉ）段階で記録された色が、任意の光源下においては、実質的に同一となるが、前記任意の光源とは異なる光源下においては、区別できるように調色することを特徴とする記録方法：
［前記色相角Ｈ°は、Ｈ°＝ｔａｎ−１（ｂ＊／ａ＊）＋１８０（ａ＊＜０の場合）、又はＨ°＝ｔａｎ−１（ｂ＊／ａ＊）＋３６０（ａ＊＞０の場合）により求められる。ａ＊及びｂ＊は、ＣＩＥＬＡＢ色空間において定義される知覚色度指数を表わす。］
【請求項２】
記録媒体上でのＣＩＥＬＡＢ色空間において定義される前記イエローインクの色相角Ｈ°が約８０°〜約１１０°の範囲であり、マゼンタインクの色相角Ｈ°が約３３０°〜約３６０°の範囲であり、かつ、シアンインクの色相角Ｈ°が約２３０°〜約２６０°の範囲であることを特徴とする請求項１に記載の記録方法。
【請求項３】
前記特色インクが、下記に示すインク（Ａ）、インク（Ｂ）、及び／又はインク（Ｃ）であることを特徴とする請求項１又は２に記載の記録方法：
インク（Ａ）：前記色相角Ｈ°が約０°〜約８０°の範囲であるインク
インク（Ｂ）：前記色相角Ｈ°が約２６０°〜約３３０°の範囲であるインク
インク（Ｃ）：前記色相角Ｈ°が約１１０°〜約２３０°の範囲であるインク
【請求項４】
上記（ｉ）段階で記録された色と上記（ｉｉ）段階で記録された色のＬ＊ａ＊ｂ＊が、任意の光源下においては実質的に同一であるが、前記任意の光源とは異なる光源下においては相違するように調色することを特徴とする請求項１〜３のいずれかに記載の記録方法。
【請求項５】
上記（ｉ）段階で記録された色と上記（ｉｉ）段階で記録された色の色差デルタＥ［ΔＥ＝（Δａ＊２＋Δｂ＊２＋ΔＬ＊２）１／２］が、任意の光源下においては４．０以下であるが、前記任意の光源とは異なる光源下においては８．０以上になるように調色することを特徴とする請求項１〜４のいずれかに記載の記録方法。
【請求項６】
上記任意の光源が、Ｄ５０光源、Ｄ６５光源、Ａ光源、Ｆ１〜Ｆ１２光源からなる群より選ばれる光源であることを特徴とする請求項１〜５のいずれかに記載の記録方法。
【請求項７】
上記任意の光源とは異なる光源が、Ｄ５０光源、Ｄ６５光源、Ａ光源、Ｆ１〜Ｆ１２光源からなる群より選ばれる光源であることを特徴とする請求項１〜６のいずれかに記載の記録方法。
【請求項８】
上記任意の光源が、Ｄ５０光源であり、前記任意の光源とは異なる光源が、Ａ光源であることを特徴とする請求項１〜７のいずれかに記載の記録方法。
【請求項９】
上記Ｄ５０光源下で、光源波長４００〜７００ｎｍにおける、上記（ｉ）段階で記録された色の反射率の最大値と最小値との差が２０％以下であり、上記（ｉｉ）段階で記録された色の反射率の最大値と最小値との差が２０％以下であり、かつ、
Ａ光源下で、光源波長４００〜７００ｎｍにおける、上記（ｉ）段階で記録された色の反射率の最大値と最小値との差が２０％以下であり、上記（ｉｉ）段階で記録された色の反射率の最大値と最小値との差が４０％以上であることを特徴とする請求項８に記載の記録方法。
【請求項１０】
前記インク（Ａ）と前記インク（Ｂ）の明度が、前記マゼンタインクと前記シアンインクの明度よりも低く、かつ、前記インク（Ａ）と前記インク（Ｂ）の彩度が、前記マゼンタインクと前記シアンインクの彩度よりも高いことを特徴とする請求項１〜９のいずれかに記載の記録方法。
【請求項１１】
前記インクセットが、さらにブラックインクを含むことを特徴とする請求項１〜１０のいずれかに記載の記録方法。
【請求項１２】
前記記録方法が、インクジェット記録方法であることを特徴とする請求項１〜１１のいずれかに記載の記録方法。
【請求項１３】
前記イエローインク、前記マゼンタインク及び前記シアンインクのうちの少なくとも１種を用いて第一の領域を形成し、前記イエローインク、前記マゼンタインク及び前記シアンインクのうちの少なくとも１種と、１種以上の前記特色インクとを用いて第二の領域を形成し、前記第一の領域と第二の領域によって全体として一つの画像を形成することを特徴とする請求項１〜１２のいずれかに記載の記録方法。
【請求項１４】
前記１〜１３のいずれかに記載の記録方法に用いられるインクセットであって、少なくとも記録媒体上でのＣＩＥＬＡＢ色空間において定義される色相角Ｈ°が約８０°〜約１１０°の範囲であるイエローインク、該色相角Ｈ°が約３３０°〜約３６０°の範囲であるマゼンタインク及び該色相角Ｈ°が約２３０°〜約２６０°の範囲であるシアンインクの３色インクと、下記インク（Ａ）及び／又は下記インク（Ｂ）とを備えるインクセット。
インク（Ａ）：前記色相角Ｈ°が約０°〜約８０°の範囲であるインク
インク（Ｂ）：前記色相角Ｈ°が約２６０°〜約３３０°の範囲であるインク
【請求項１５】
前記インク（Ａ）と前記インク（Ｂ）の明度が、前記マゼンタインクと前記シアンインクの明度よりも低く、かつ、前記インク（Ａ）と前記インク（Ｂ）の彩度が、前記マゼンタインクと前記シアンインクの彩度よりも高いことを特徴とする請求項１４に記載のインクセット。
【請求項１６】
前記インクセットが、さらにブラックインクを含むことを特徴とする請求項１４又は１５に記載のインクセット。
【請求項１７】
請求項１〜１３のいずれかに記載の記録方法により形成された画像を、所定の光源下で識別することにより、記録物の真偽を判別することを特徴とする真偽判別方法。
【請求項１８】
請求項１〜１３のいずれかに記載の記録方法を用いて記録された記録物。
【請求項１９】
請求項１〜１３のいずれかに記載の記録方法を実現するための記録装置。
【発明の詳細な説明】
【０００１】
【発明の属する技術分野】
本発明は、記録方法、判別方法、インクセット、記録物及び記録装置に関し、特に、隠し文字等が印刷可能で、形成された隠し文字等が簡便に判別できる記録方法、該記録方法を用いた判別方法、該記録方法に用いられるインクセット、該記録方法により記録された記録物、及び該記録方法に用いられる記録装置に関する。
【０００２】
【従来の技術及び発明が解決しようとする課題】
従来より、特殊な目的で、可視光では確認しにくいが、紫外光などの特殊な光を照射すると可視化したり、専用の読取装置などで確認が可能となるインクの開発がされている。
たとえば、特開２０００−８６９５２号公報では、特定の希土類錯体を含む発光性インク組成物が開示されており、特開平８−２３９６０７号公報および特開平８−２３６０９号公報には、特定の蛍光材料、当該蛍光材料を溶解する水溶性溶剤及び水を含むインクジェット用記録液が開示されている。
【０００３】
しかしながら、このようなインク組成物は、紫外光などの特殊な光を照射しないと識別できないため、確認のために特殊な装置を必要とし、確認操作が簡便でない。また、このようなインク組成物をインクジェット記録に用いた場合には、組成物中に含まれる発光物質の種類によっては、インクジェットプリンタのノズルの目詰まりが起こる等の問題があった。
【０００４】
一方、特開平５−２６６５号公報には、カード処理装置によって金融取引業務用等のカードの読取り及び書込み等を行うカード処理方式において、カードの一定の部分に特殊インクで隠し印刷をした特殊インク処理部を形成し、一方で、カード処理装置により、上記カードの特殊インク処理部に特定波長の光を照射し、特殊インク処理部からの反射光のスペクトルによってカードの真偽の判定を行うカード処理方式が開示されている。また、その詳細な説明中においては、特殊インク処理部の形成方法として、光を反射する金属膜を蒸着し、熱や放電エネルギーによって破壊し、印字する方法や、メタメリズムを利用して、隠し文字印刷を行う方法が記載されている。
【０００５】
しかしながら、当該公報には、抽象的な記載がされているのみで、具体的な方法が全く開示されていない。さらに、当該公報に記載の方法では、カード処理装置が必要であるため、簡便に判定を行うことができない等の問題があった。
従って、本発明の目的は、隠し文字等が印刷可能で、さらに簡便に、形成された隠し文字等を判別できる記録方法を提供することにある。
【０００６】
【課題を解決するための手段】
本発明者らは、このような状況下、上記目的を達成すべく鋭意研究した結果、イエローインク（Ｙ）、マゼンタインク（Ｍ）及びシアンインク（Ｃ）の３色インクと、前記イエローインク、前記マゼンタインク及び前記シアンインクの有する色相角以外の色相角を有する１種以上の特色インクを、少なくとも備えるインクセットを用いて画像を形成した場合に、インクの調色の仕方等により、形成される画像の反射光の分光特性を調節し得ることを見出し、本願発明を完成するに至ったものである。
【０００７】
すなわち、本発明は、イエローインク、マゼンタインク及びシアンインクの３色インクと、前記イエローインク、前記マゼンタインク及び前記シアンインクの有するＣＩＥＬＡＢ色空間において定義される色相角（Ｈ°）以外の色相角を有する１種以上の特色インクを、少なくとも備えるインクセットを用いた記録方法であって、
（ｉ）　前記イエローインク、前記マゼンタインク及び前記シアンインクのうちの少なくとも１種と、１種以上の前記特色インクとを用いて記録媒体上に、調色し記録する段階と、
（ｉｉ）　前記イエローインク、前記マゼンタインク及び前記シアンインクのうちの少なくとも１種を用いて記録媒体上に、調色し記録する段階と
を含み、
（ｉ）段階で記録された色と（ｉｉ）段階で記録された色が、任意の光源下においては、実質的に同一となるが、前記任意の光源とは異なる光源下においては、区別できるように調色することを特徴とする記録方法を提供するものである。
［前記色相角Ｈ°は、Ｈ°＝ｔａｎ−１（ｂ＊／ａ＊）＋１８０（ａ＊＜０の場合）、又はＨ°＝ｔａｎ−１（ｂ＊／ａ＊）＋３６０（ａ＊＞０の場合）により求められる。ａ＊及びｂ＊は、ＣＩＥＬＡＢ色空間において定義される知覚色度指数を表わす。］
【０００８】
本発明においては、記録媒体上でのＣＩＥＬＡＢ色空間において定義される前記イエローインクの色相角Ｈ°が約８０°〜約１１０°の範囲であり、マゼンタインクの色相角Ｈ°が約３３０°〜約３６０°の範囲であり、かつ、シアンインクの色相角Ｈ°が約２３０°〜約２６０°の範囲であるインクを用いることができる。また、前記特色インクは、下記に示すインク（Ａ）、インク（Ｂ）、及び／又はインク（Ｃ）を用いることができる。
インク（Ａ）：前記色相角Ｈ°が約０°〜約８０°の範囲であるインク
インク（Ｂ）：前記色相角Ｈ°が約２６０°〜約３３０°の範囲であるインクインク（Ｃ）：前記色相角Ｈ°が約１１０°〜約２３０°の範囲であるインク［なお、色相角Ｈ°は、前記したとおりである。］
【０００９】
上記（ｉ）段階で記録された色と上記（ｉｉ）段階で記録された色のＬ＊ａ＊ｂ＊が、任意の光源下においては実質的に同一であるが、前記任意の光源とは異なる光源下においては相違するように調色することが好ましく、具体的には、上記（ｉ）段階で記録された色と上記（ｉｉ）段階で記録された色の色差ΔＥ［ΔＥ＝
（Δａ＊２＋Δｂ＊２＋ΔＬ＊２）１／２］が、任意の光源下においては４．０以下であるが、前記任意の光源とは異なる光源下においては８．０以上になるように調色することが好ましい。
【００１０】
上記任意の光源は、Ｄ５０光源、Ｄ６５光源、Ａ光源、Ｆ１〜Ｆ１２光源からなる群より選ばれる光源であり、また、上記任意の光源とは異なる光源が、Ｄ５０光源、Ｄ６５光源、Ａ光源、Ｆ１〜Ｆ１２光源からなる群より選ばれる光源であることが好ましい。
【００１１】
上記任意の光源が、Ｄ５０光源であり、前記任意の光源とは異なる光源が、Ａ光源であってもよく、かかる場合に、
Ｄ５０光源下で、光源波長４００〜７００ｎｍにおける、上記（ｉ）段階で記録された色の反射率の最大値と最小値との差が２０％以下であり、上記（ｉｉ）段階で記録された色の反射率の最大値と最小値との差が２０％以下であり、かつ、Ａ光源下で、光源波長４００〜７００ｎｍにおける、上記（ｉ）段階で記録された色の反射率の最大値と最小値との差が２０％以下であり、上記（ｉｉ）段階で記録された色の反射率の最大値と最小値との差が４０％以上であることが好ましい。
【００１２】
前記インク（Ａ）と前記インク（Ｂ）の明度は、前記マゼンタインクと前記シアンインクの明度よりも低く、かつ、前記インク（Ａ）と前記インク（Ｂ）の彩度は、前記マゼンタインクと前記シアンインクの彩度よりも高いことが好ましい。
前記インクセットは、さらにブラックインクを含んでいてもよい。
【００１３】
本発明の記録方法は、インクジェット記録方法に最適である。
本発明においては、前記イエローインク、前記マゼンタインク及び前記シアンインクのうちの少なくとも１種を用いて第一の領域を形成し、前記イエローインク、前記マゼンタインク及び前記シアンインクのうちの少なくとも１種と、１種以上の前記特色インクとを用いて第二の領域を形成し、前記第一の領域と第二の領域によって全体として一つの画像を形成する。
【００１４】
たとえば、前記イエローインク、前記マゼンタインク及び前記シアンインクのうちの少なくとも１種を用いて文字または絵柄の一部を形成し、前記文字または絵柄以外の、たとえば背景などの画像を、前記イエローインク、前記マゼンタインク及び前記シアンインクのうちの少なくとも１種と、１種以上の前記特色インクとを用いて形成することが好ましい。
【００１５】
また、本発明は、前記記録方法に用いられるインクセットであって、少なくとも記録媒体上でのＣＩＥＬＡＢ色空間において定義される色相角Ｈ°が約８０°〜約１１０°の範囲であるイエローインク、該色相角Ｈ°が約３３０°〜約３６０°の範囲であるマゼンタインク及び該色相角Ｈ°が約２３０°〜約２６０°の範囲であるシアンインクの３色インクと、下記インク（Ａ）及び／又は下記インク（Ｂ）とを備えるインクセットを提供するものである：
インク（Ａ）：前記色相角Ｈ°が約０°〜約８０°の範囲であるインク
インク（Ｂ）：前記色相角Ｈ°が約２６０°〜約３３０°の範囲であるインク［なお、色相角Ｈ°は、前記したとおりである。］
【００１６】
また、本発明は、前記記録方法により形成された画像を、所定の光源下で識別することにより、記録物の真偽を判別することを特徴とする真偽判別方法を提供するものである。
前記記録方法を用いて、たとえば、真正品に隠し文字または絵柄等の特定の画像を形成することにより、所定の光源下において、真正品と偽造品の真偽判別をすることができるので、本発明の判別方法は、偽造品の真偽判別に利用できる。
【００１７】
また、前記判別方法を偽造品の真偽判別に使用した際に、前記隠し文字または絵柄が、前記イエローインク、前記マゼンタインク及び前記シアンインクのうちの少なくとも１種を用いて形成され、隠し文字または絵柄以外の画像を、前記イエローインク、前記マゼンタインク及び前記シアンインクのうちの少なくとも１種と、１種以上の前記特色インクとを用いて形成されることが好ましい。
【００１８】
本発明は、前記記録方法を用いて記録された記録物を提供するものである。
また、本発明は、前記記録方法を実現するための記録装置を提供するものである。
【００１９】
【発明の実施の形態】
以下、本発明をその好ましい実施形態に基づいて詳細に説明する。
本発明の記録方法は、イエローインク、マゼンタインク及びシアンインクの３色インクと、前記イエローインク、前記マゼンタインク及び前記シアンインクの有するＣＩＥＬＡＢ色空間において定義される色相角（Ｈ°）以外の色相角を有する１種以上の特色インクを、少なくとも備えるインクセットを用いた記録方法であって、
（ｉ）　前記イエローインク、前記マゼンタインク及び前記シアンインクのうちの少なくとも１種と、１種以上の前記特色インクとを用いて記録媒体上に、調色し記録する段階と、
（ｉｉ）　前記イエローインク、前記マゼンタインク及び前記シアンインクのうちの少なくとも１種を用いて記録媒体上に、調色し記録する段階と
を含み、
（ｉ）段階で記録された色と（ｉｉ）段階で記録された色が、任意の光源下においては、実質的に同一となるが、前記任意の光源とは異なる光源下において、区別できるように調色している：
［前記色相角Ｈ°は、Ｈ°＝ｔａｎ−１（ｂ＊／ａ＊）＋１８０（ａ＊＜０の場合）、又はＨ°＝ｔａｎ−１（ｂ＊／ａ＊）＋３６０（ａ＊＞０の場合）により求められる。ａ＊及びｂ＊は、ＣＩＥＬＡＢ色空間において定義される知覚色度指数を表わす。］
【００２０】
かかる構成にすることにより、本発明は、所定の光源下においてのみ一定の、たとえば文字、絵柄等といった画像を視覚化し得る記録物を形成できる。
本発明は、前記のインクセットを用いて画像を形成した場合に、任意の光源を用いて見た印刷物の色彩と、前記任意の光源とは異なる光源を用いて見た同一印刷物の色彩とが、同一にならないという現象［以下、この現象を単に「メタメリズム（ｍｅｔａｍｅｒｉｚｍ；光源依存）」という。］を利用して、メタメリズムを解消した画像の一部に、メタメリズムが解消されていない部分を残すことにより、所定の光源下でのみ視覚化し得る画像を形成し得るものである。
【００２１】
ここで、「（ｉ）段階で記録された色と（ｉｉ）段階で記録された色が、任意の光源下においては、実質的に同一となる」とは、目視による観察で、（ｉ）段階で記録された色と（ｉｉ）段階で記録された色の相違が判別しがたい程度に同じ範囲にあることをいう。また、「任意の光源とは異なる光源下においては、区別できる」とは、目視による観察で、（ｉ）段階で記録された色と（ｉｉ）段階で記録された色の相違が明確に判別し得ることをいう。
【００２２】
具体的には、上記（ｉ）段階で記録された色と上記（ｉｉ）段階で記録された色のＬ＊ａ＊ｂ＊が、任意の光源下においては実質的に同一であるが、前記任意の光源とは異なる光源下においては相違していることをいい、より具体的には、たとえば、上記（ｉ）段階で記録された色と上記（ｉｉ）段階で記録された色の色差ΔＥ［ΔＥ＝（Δａ＊２＋Δｂ＊２＋ΔＬ＊２）１／２］が、任意の光源下においては４
．０以下、好ましくは３．０以下であり、前記任意の光源とは異なる光源下においては８．０以上になることが望ましい。色差が上記範囲にあると、所定光源下における、上記（ｉ）段階で記録された色と上記（ｉｉ）段階で記録された色の判別が、目視においても、より明確にできる。したがって、特別な装置を準備しなくてもよく、判別が簡便に行える。なお、任意の光源下においては、上記（ｉ）段階で記録された色と上記（ｉｉ）段階で記録された色が判別つかない程、同色に近いことが好ましく、したがって、色差の値は小さくなる程好ましい。また、前記任意の光源とは異なる光源下では、上記（ｉ）段階で記録された色と上記（ｉｉ）段階で記録された色が明確に判別できる必要があり、したがって、色差の値は大きくなる程好ましい。
【００２３】
上記任意の光源は、たとえば、ＣＩＥＬＡＢにより規定されるＤ５０光源、Ｄ６５光源、Ａ光源、Ｆ１〜Ｆ１２光源からなる群より選ばれる光源を用いることができ、また、上記任意の光源とは異なる光源は、ＣＩＥＬＡＢにより規定されるＤ５０光源、Ｄ６５光源、Ａ光源、Ｆ１〜Ｆ１２光源からなる群より選ばれる光源を用いることができる。なお、本発明に用いられる光源は、本発明の効果を達成し得る限り、上記例示に限定されるものではなく、このほかに、たとえば、太陽光なども使用できる。
【００２４】
また、任意の光源とこの任意の光源とは異なる光源の組み合わせについても、本発明の効果を達成し得る限り、特には限定されず、具体的には、任意の光源が、Ｄ５０光源である場合に、前記任意の光源とは異なる光源としてＡ光源を用いてもよく、また、任意の光源が、Ｄ５０光源である場合に、異なる光源としてＦ１１光源を用いてもよい。また、任意の光源が、Ｄ５０光源である場合に、異なる光源として太陽光を用いてもよい。
【００２５】
本発明の記録方法においては、任意の光源下で、光源波長４００〜７００ｎｍにおける、上記（ｉ）段階で記録された色の反射率の最大値と最小値との差が２０％以下、好ましくは１５％以下であり、上記（ｉｉ）段階で記録された色の反射率の最大値と最小値との差が２０％以下、好ましくは１５％以下であり、かつ、
前記任意の光源とは異なる光源下で、光源波長４００〜７００ｎｍにおける、上記（ｉ）段階で記録された色の反射率の最大値と最小値との差が２０％以下、好ましくは１５％以下であり、上記（ｉｉ）段階で記録された色の反射率の最大値と最小値との差が４０％以上であることが好ましい。
【００２６】
任意の光源下において、上記（ｉ）段階と（ｉｉ）段階で記録される色の反射率の最大値と最小値との差が上記範囲内にあり、前記任意の光源と異なる光源下において、上記（ｉ）段階と（ｉｉ）段階で記録される色の反射率の最大値と最小値との差が各々上記範囲内にあると、光源を変更した際の色差が目視で容易に判別可能となるため好ましい。なお、任意の光源下における、反射率の最大値と最小値の差は、色差が目視で区別できないことが必要とされるので、任意の光源下では低いほどよい傾向にある。また、前記任意の光源と異なる光源下においては、色差が目視で区別しうることが必要とされるので、上記（ｉ）段階で記録された色の反射率の最大値と最小値との差は低い方がよく、上記（ｉｉ）段階で記録された色の反射率の最大値と最小値との差は高い方がよい傾向にある。
【００２７】
具体的には、たとえば、上記任意の光源は、Ｄ５０光源であり、任意の光源と異なる光源は、Ａ光源であってもよく、かかる場合には、
Ｄ５０光源下で、光源波長４００〜７００ｎｍにおける、上記（ｉ）段階で記録された色の反射率の最大値と最小値との差が２０％以下、好ましくは１５％以下であり、上記（ｉｉ）段階で記録された色の反射率の最大値と最小値との差が２０％以下、好ましくは１５％以下であり、かつ、
太陽光下で、光源波長４００〜７００ｎｍにおける、上記（ｉ）段階で記録された色の反射率の最大値と最小値との差が２０％以下、好ましくは１５％以下であり、上記（ｉｉ）段階で記録された色の反射率の最大値と最小値との差が４０％以上であることが好ましい。
【００２８】
さらに具体的には、たとえば、上記（ｉ）段階と（ｉｉ）段階で記録された色が、Ｄ５０光源下においてのＣＩＥで規定されるＬ＊ａ＊ｂ＊空間座標で（Ｌ＊，ａ＊，ｂ＊）＝（５０，０，０）であるとき、光源波長４００〜７００ｎｍにおける、上記（ｉ）段階で記録された色の反射率の最大値と最小値との差が２０％以下、好ましくは１５％以下であり、上記（ｉｉ）段階で記録された色の反射率の最大値と最小値との差が２０％以下、好ましくは１５％以下であり、かつ、
Ａ光源下で、光源波長４００〜７００ｎｍにおける、上記（ｉ）段階で記録された色の反射率の最大値と最小値との差が２０％以下、好ましくは１５％以下であり、上記（ｉｉ）段階で記録された色の反射率の最大値と最小値との差が４０％以上であることが好ましい。
【００２９】
本発明においては、後に詳述する各種インクを適宜組み合わせて用いることにより、メタメリズムを解消した部分と、メタメリズムが解消していない部分から構成される、任意の光源で同一色であり、異なる光源下で文字等の一部の画像が視覚化し得る画像を形成することができる。
【００３０】
まず、メタメリズムを解消した部分の形成方法について具体例を交えて説明するが、本発明は、このような具体例に限定されるものではない。
メタメリズムを解消した部分については、上記（ｉ）段階により形成することができる。具体的には、イエローインク、マゼンタインク及びシアンインクのうちの少なくとも１種と、１種以上の特色インクとを用いて、たとえば、光源下（例：Ｄ５０光源）においてＣＩＥで規定されるＬ＊ａ＊ｂ＊空間座標で（Ｌ＊，ａ＊，ｂ＊）の値が所望の値（例：（Ｌ＊，ａ＊，ｂ＊）＝（５０，０，０））になるように、記録媒体上に、各インクを適切な割合で調色し記録することにより形成される。
【００３１】
以下、インクジェットプリンタを用いて記録した場合を例に採り、具体的に説明する。
メタメリズムを解消した部分については、複数色の前記インクの液滴をそれぞれ吐出させ、該液滴を記録媒体上で混合して、該記録媒体上に１色又は２次色以上の混色部分を形成する場合には、イエローインク、マゼンタインク及びシアンインクのうちの少なくとも１種と、１種以上の特色インク、たとえばインク（Ａ）、インク（Ｂ）及び／又はインク（Ｃ）とを用いて混色することにより、形成される。
【００３２】
具体的には、前記知覚色度指数ａ＊及びｂ＊が、それぞれ、ａ＊　＝約−５０〜約５０、ｂ＊　＝約−５０〜約５０の範囲にある混色部分、即ち、白色と黒色との間の色相群の１色（例えば、グレー色）の混色部分を形成する場合、少なくとも、イエロー、マゼンタ及びシアンの３色の前記インクと、前記インク（Ａ）、インク（Ｂ）及び／又は前記インク（Ｃ）とを用いる。前記インクセットが、前記６種類のインク以外のインク、例えば、ブラック、ライトマゼンタ、ライトシアン等の色のインクを備えている場合は、それらを適宜用いても良い。
【００３３】
上記のように白色と黒色との間の色相群の１色の混色部分を形成する場合、前記特色インク［前記インク（Ａ）、インク（Ｂ）及び／又はインク（Ｃ）］の単位面積当たりのインク打ち込み量は、該混色部分の形成に用いられるインク総打ち込み量に対して、好ましくは１０〜９０重量％更に好ましくは、３０〜５０重量％である。このような量で打ち込むことにより、メタメリズムを一層解消することができる。
【００３４】
また、前記知覚色度指数ａ＊及びｂ＊が、それぞれ、ａ＊　＝約−４０〜約９０、ｂ＊　＝約−４０〜約１００の範囲にある混色部分、即ち、イエロー色とマゼンタ色との間の色相群の１色（例えば、オレンジ色や赤色）の混色部分を形成する場合、少なくとも、イエロー及びマゼンタの２色の前記インクと、前記インク（Ａ）とを用いる。この場合、該インク（Ａ）の単位面積当たりのインク打ち込み量は、該混色部分の形成に用いられるインクの総打ち込み量に対して、好ましくは、１０〜９０重量％、更に好ましくは、３０〜５０重量％である。このような量で打ち込むことにより、メタメリズムを一層解消することができる。
【００３５】
また、前記知覚色度指数ａ＊　及びｂ＊　が、それぞれ、ａ＊　＝約−５０〜約１００、ｂ＊　＝約−１０〜約−８０の範囲にある混色部分、即ち、マゼンタ色とシアン色との間の色相群の１色（例えば、バイオレット色や青色）の混色部分を形成する場合、少なくとも、マゼンタとシアンの２色の前記インクと、前記インク（Ｂ）とを用いる。この場合、該インク（Ｂ）の単位面積当たりのインク打ち込み量は、該混色部分の形成に用いられるインクの総打ち込み量に対して、好ましくは、１０〜９０重量％、更に好ましくは、３０〜５０重量％である。このような量で打ち込むことにより、メタメリズムを一層解消することができる。
【００３６】
したがって、本発明の記録方法によれば、２次色以上の混色部分を形成する場合、上記のような組み合わせで各インクを用いるので、照明する光源が変わっても色相がほとんど変化しない高画質の印刷物を提供することができる。
【００３７】
より具体的に説明すると、例えば、前記イエロー、マゼンタ及びシアンのＹＭＣの３色のインクのみを用いて混色部分を形成すると、特に該混色部分の彩度Ｃ＊　が低い場合、該混色部分の分光特性は、図１に実線で示すように、ピークトップが３つ現れたものとなり、照明する光源によって色相が異なって見えてしまう（メタメリズム現象）。これに対し、例えば、ＹＭＣの前記インクに加えて、更に前記インク（Ａ）、インク（Ｂ）及び／又はインク（Ｃ）を用いて混色部分を形成することにより、該混色部分の分光特性は、前記３つのピークトップと、これらのピークトップの谷間を埋める新たなピークトップ（点線部）とを有するものとなり、あたかもピークトップが一つになった状態となるので、メタメリズムが低減する。
【００３８】
このように、出力する色に合わせて、インク（Ａ）、インク（Ｂ）及びインク（Ｃ）の種類、打ち込み量等を適宜調整することにより、メタメリズムが解消された画像を形成することができる。
【００３９】
次にメタメリズムが解消していない部分の形成方法について説明する。
メタメリズムが解消していない部分については、上記（ｉｉ）段階により形成することができ、具体的には、後述するイエローインク、マゼンタインク及びシアンインクのうちの少なくとも１種を用いて記録媒体上に、（ｉ）段階で形成される色と同一の色、たとえば、光源下（例：Ｄ５０光源）においてのＣＩＥで規定されるＬ＊ａ＊ｂ＊空間座標で（Ｌ＊，ａ＊，ｂ＊）の値が所望の値（例：（Ｌ＊，ａ＊，ｂ＊）＝（５０，０，０））になるように、各インクを適切な割合で調色し記録することにより形成される。
【００４０】
イエローインク、マゼンタインク及びシアンインクのみでは、上記したように、各インクのピークトップ（図１参照）の間に谷間が生じるため、殆どの場合に、メタメリズムが生じる。
以上、詳述したように、インクの種類、打ち込み量等を適宜調節することにより、メタメリズムが解消している部分と解消していない部分から構成される画像を形成することができる。
【００４１】
本発明の記録方法は、本発明の効果を達成し得る限り記録手段は特に限定されないが、記録媒体上で任意の光源下で、任意の色に対して比較的簡単に調色できる観点から、インクジェットプリンタを用いたインクジェット記録方法に最適である。中でも、ノズルからインクの液滴を吐出させ、該液滴を記録媒体に付着させて文字及び／又は画像を形成するインクジェット記録方法に用いられることが好ましく、特にオンデマンド型のインクジェット記録方法に用いられることが好ましい。オンデマンド型のインクジェット記録方法としては、例えば、プリンターヘッドに配設された圧電素子を用いて記録を行う圧電素子記録方法、プリンターヘッドに配設された発熱抵抗素子のヒーターなどによる熱エネルギーを用いて記録を行う熱ジェット記録方法等が挙げられ、何れのインクジェット記録方法にも好適に使用できる。使用できるインク組成物の種類が多い等の観点から、圧電素子記録方法が好ましい。
【００４２】
また、前記イエローインク、前記マゼンタインク及び前記シアンインクのうちの少なくとも１種を用いて第一の領域を形成し、前記イエローインク、前記マゼンタインク及び前記シアンインクのうちの少なくとも１種と、１種以上の前記特色インクとを用いて第二の領域を形成し、前記第一の領域と第二の領域によって全体として一つの画像を形成する。
【００４３】
より具体的には、前記イエローインク、前記マゼンタインク及び前記シアンインクのうちの少なくとも１種を用いて文字または絵柄の一部（第一領域）を形成し（（ｉｉ）段階）、前記文字または絵柄以外の背景などの画像（第二領域）を、前記イエローインク、前記マゼンタインク及び前記シアンインクのうちの少なくとも１種と、１種以上の特色インクとを用いて形成する（（ｉ）段階）ことが好ましい。このような態様にすることにより、高画質な印刷物中に、所定の光源下で、特定の文字又は絵柄を浮かび上がらせる（視覚化する）ことができる。
【００４４】
以下に、本発明に用いられるインク並びにインクセットについて説明する。
本発明に用いられるインクセットは、イエローインク、マゼンタインク及びシアンインクの３色インクと、前記イエローインク、前記マゼンタインク及び前記シアンインクの有する色相角以外の色相角を有する１種以上の特色インクを、少なくとも備えている。
【００４５】
本発明においては、記録媒体上でのＣＩＥＬＡＢ色空間において定義される前記イエローインクの色相角Ｈ°が約８０°〜約１１０°の範囲であり、マゼンタインクの色相角Ｈ°が約３３０°〜約３６０°の範囲であり、かつ、シアンインクの色相角Ｈ°が約２３０°〜約２６０°の範囲であるインクを用いることができる。また、前記特色インクは、下記に示すインク（Ａ）、インク（Ｂ）、及び／又はインク（Ｃ）を用いることができ、発色性の観点から、好ましくは、インク（Ａ）及び／又はインク（Ｂ）を用いることができる。
インク（Ａ）：前記色相角Ｈ°が約０°〜約８０°の範囲であるインク
インク（Ｂ）：前記色相角Ｈ°が約２６０°〜約３３０°の範囲であるインク
インク（Ｃ）：前記色相角Ｈ°が約１１０°〜約２３０°の範囲であるインク［なお、色相角Ｈ°は、前記したとおりである。］
【００４６】
前記インク（Ａ）と前記インク（Ｂ）の明度は、前記マゼンタインクと前記シアンインクの明度よりも低く、かつ、前記インク（Ａ）と前記インク（Ｂ）の彩度は、前記マゼンタインクと前記シアンインクの彩度よりも高いことが好ましい。
このように定義することにより、高明度部分の彩度は、ＣＭＹインクで高めることが可能であり、低明度部分の彩度は、インク（Ａ）及び／又はインク（Ｂ）が加わることで高めることが可能である。
【００４７】
前記インクに含有される色材は、本発明の効果が得られる限り、染料であっても顔料であってもよいが、特に、顔料であることが好ましい。
本発明において、インク中の顔料固形成分濃度は、本発明の効果を達成し得る限り特に制限するものではない。
【００４８】
前記インク（Ａ）に含有される顔料としては、Ｃ．Ｉ．ピグメントオレンジ５，４３及び６２並びにＣ．Ｉ．ピグメントレッド１７，４９：２，１１２，１４９，１７７，１７８，１８８，２５５及び２６４からなる群から選ばれる１種又は２種以上が好適に用いられる。
【００４９】
これらのうち、特にＣ．Ｉ．ピグメントレッド１４９，１７７，１７８及び２６４からなる群から選ばれる１種又は２種以上を用いることが好ましい。この場合には、インク（Ａ）は、「インク（Ａ）単色で形成できる色」と、「イエローインクとマゼンタインクの２色だけを混合して形成される色相角と彩度が同じ色」の明度が近い程、粒状性と光沢とを向上させることができる。
【００５０】
前記インク（Ｂ）に含有される顔料としては、Ｃ．Ｉ．ピグメントブルー６０並びにＣ．Ｉ．ピグメントバイオレット３，２３，３２，３６及び３８からなる群から選ばれる１種又は２種以上が好適に用いられる。
【００５１】
これらのうち、特にＣ．Ｉ．ピグメントブルー６０及びＣ．Ｉ．ピグメントバイオレット２３からなる群から選ばれる１種又は２種を用いることが好ましい。この場合には、インク（Ｂ）は、「インク（Ｂ）単色で形成できる色」と、「シアンインクとマゼンタインクの２色だけを混合して形成される色相角と彩度が同じ色」の明度が近い程、粒状性と光沢とを向上させることができる。
【００５２】
前記インク（Ｃ）に含有される顔料としては、Ｃ．Ｉ．ピグメントグリーン３６、Ｃ．Ｉ．ピグメントグリーン７などが好適に用いられる。
【００５３】
前記イエローインクに含有される顔料としては、例えば、Ｃ．Ｉ．ピグメントイエロー１，２，３，１２，１４，１６，１７，７３，７４，７５，８３，９３，９５，９７，９８，１０９，１１０，１１４，１２８，１２９，１３８，１３９，１４７，１５０，１５１，１５４，１５５，１８０，１８５等が挙げられ、これらの１種又は２種以上が用いられる。これらのうち、特にＣ．Ｉ．ピグメントイエロー７４，１１０，１２８及び１４７からなる群から選ばれる１種又は２種以上を用いることが好ましい。
【００５４】
前記マゼンタインクに含有される顔料としては、例えば、Ｃ．Ｉ．ピグメントレッド５，７，１２，４８（Ｃａ），４８（Ｍｎ），５７（Ｃａ），５７：１，１２２，１２３，１６８，１８４，２０２，２０９；Ｃ．Ｉ．ピグメントバイオレット１９等が挙げられ、これらの１種又は２種以上が用いられる。これらのうち、特にＣ．Ｉ．ピグメントレッド１２２，２０２，２０９及びＣ．Ｉ．ピグメントバイオレット１９からなる群から選ばれる１種又は２種以上を用いることが好ましい。
【００５５】
前記シアンインクに含有される顔料としては、例えば、Ｃ．Ｉ．ピグメントブルー１，２，３，１５：３，１５：４，１５：３４，１６，２２；Ｃ．Ｉ．バットブルー４，６０等が挙げられ、これらの１種又は２種以上が用いられる。これらのうち、特にＣ．Ｉ．ピグメントブルー１５：３及び／又は１５：４を用いることが好ましく、とりわけ、Ｃ．Ｉ．ピグメントブルー１５：３を用いることが好ましい。
【００５６】
本実施形態のインクセットは、イエロー、マゼンタ及びシアンの３色の前記インクと２色の前記特色インクの１種又は２種を備えるものであるが、必要に応じて、ブラックインクを更に追加することもできる。ブラックインクに含有される顔料としては、例えば、ファーネスブラック、ランプブラック、アセチレンブラック、チャンネルブラック等のカーボンブラック（Ｃ．Ｉ．ピグメントブラック７）類、酸化鉄顔料等の無機顔料；アニリンブラック（Ｃ．Ｉ．ピグメントブラック１）等の有機顔料等が挙げられる。特に、カーボンブラックを用いることが好ましく、好ましいカーボンブラックの例として、三菱化学製のＮｏ．２３００，　Ｎｏ．９００，　ＭＣＦ８８，　Ｎｏ．３３，　Ｎｏ．４０，　Ｎｏ．５２，　ＭＡ７，　ＭＡ８，　ＭＡ１００，　Ｎｏ．２２００Ｂ等、コロンビア製のＲａｖｅｎ５７５０，　Ｒａｖｅｎ５２５０，　Ｒａｖｅｎ５０００，　Ｒａｖｅｎ３５００，　Ｒａｖｅｎ１２５５，　Ｒａｖｅｎ７００等、キャボット社製のＲｅｇａｌ　４００Ｒ，　Ｒｅｇａｌ　４００Ｒ，　Ｒｅｇａｌ　１６６０Ｒ，　Ｍｏｇｕｌ　１，　Ｍｏｎａｒｃｈ７００，　Ｍｏｎａｒｃｈ８００，　Ｍｏｎａｒｃｈ８８０，　Ｍｏｎａｒｃｈ９００，　Ｍｏｎａｒｃｈ１０００，　Ｍｏｎａｒｃｈ１１００，　Ｍｏｎａｒｃｈ１３００，　Ｍｏｎａｒｃｈ１４００等、テグッサ社製のＣｏｌｏｒ　Ｂｌａｃｋ　ＦＷ１，　Ｃｏｌｏｒ　Ｂｌａｃｋ　ＦＷ２，　Ｃｏｌｏｒ　Ｂｌａｃｋ　ＦＷ２Ｖ，　Ｃｏｌｏｒ　Ｂｌａｃｋ　ＦＷ１８，　Ｃｏｌｏｒ　Ｂｌａｃｋ　ＦＷ２００，　Ｃｏｌｏｒ　Ｂｌａｃｋ　Ｓ１５０，　ＣｏｌｏｒＢｌａｃｋ　Ｓ１６０，　Ｃｏｌｏｒ　Ｂｌａｃｋ　Ｓ１７０，　Ｐｒｉｎｔｅｘ　３５，　Ｐｒｉｎｔｅｘ　Ｕ，Ｐｒｉｎｔｅｘ　Ｖ，Ｐｒｉｎｔｅｘ　１４０Ｕ，　Ｓｐｅｃｉｌ　Ｂｌａｃｋ　６，　Ｓｐｅｃｉｌ　Ｂｌａｃｋ５，　Ｓｐｅｃｉｌ　Ｂｌａｃｋ　４Ａ，　Ｓｐｅｃｉｌ　Ｂｌａｃｋ　４等が挙げられる。
【００５７】
また、前記インク（Ａ）は、その明度が、前記イエローインクの明度及び／又は前記マゼンタインクの明度より低いことが好ましい。前記インク（Ａ）の記録媒体上での明度は、３５以上６５以下が好ましく、４０以上５０以下が更に好ましい。
また、前記インク（Ｂ）は、その明度が、前記マゼンタインクの明度及び／又は前記シアンインクの明度より低いことが好ましい。前記インク（Ｂ）の記録媒体上での明度は、５以上６５以下が好ましく、５以上１５以下が更に好ましい。
【００５８】
前記インク（Ａ）は、前記イエローインクのＩＹ　重量と前記マゼンタインクのＪ１Ｍ重量とを記録媒体上で混合して得られる混色部分の色相角Ｈ°（Ｙ＋Ｍ）　の彩度Ｃ＊（Ｙ＋Ｍ）　を（ＩＹ＋Ｊ１Ｍ）重量未満の使用量で得られるインクであることが好ましい。彩度Ｃ＊　は、Ｃ＊　＝｛（ａ＊）２＋（ｂ＊）２｝１／２により求められる。
前記インク（Ｂ）は、前記マゼンタインクのＪ２Ｍ重量と前記シアンインクのＫＣ　重量とを記録媒体上で混合して得られる混色部分の色相角Ｈ°（Ｍ＋Ｃ）　の彩度Ｃ＊（Ｍ＋Ｃ）　を（Ｊ２Ｍ＋ＫＣ）重量未満の使用量で得られるインクであることが好ましい。
【００５９】
また、前記インク（Ａ）は、その彩度Ｃ＊Ａが、前記イエローインクの彩度Ｃ＊Ｙ及び／又は前記マゼンタインクの彩度Ｃ＊Ｍよりも高い（Ｃ＊Ａ＞Ｃ＊Ｙ及び／又はＣ＊Ａ＞Ｃ＊Ｍ）ことが好ましい。
色相角０°〜３０°の高彩度な色（朱色）を発色させるためには、色相角が４０°±１０°のインク（Ａ）を備えるとよい。
【００６０】
また、前記インク（Ｂ）は、その彩度Ｃ＊Ｂが、前記マゼンタインクの彩度Ｃ＊Ｍ及び／又は前記シアンインクの彩度Ｃ＊Ｃよりも高い（Ｃ＊Ｂ＞Ｃ＊Ｍ及び／又はＣ＊Ｂ＞Ｃ＊Ｃ）ことが好ましい。
【００６１】
前記インク（Ａ）の記録媒体上での彩度Ｃ＊Ａとしては、８０以上が好ましく、９０以上が更に好ましい。
前記インク（Ｂ）の記録媒体上での彩度Ｃ＊Ｂとしては、好ましくは８０以上、更に好ましくは９０以上である。
また、前記イエローインク、前記マゼンタインク及び前記シアンインクの記録媒体上での彩度Ｃ＊Ｙ、Ｃ＊Ｍ、Ｃ＊Ｃは、それぞれ、好ましくは７０〜１２０であり、より好ましくは８０〜１１０であり、さらに好ましくは８０〜９０である。
【００６２】
また、前記インク（Ａ）の記録媒体上での色相範囲は、ａ＊　＝約６０〜約８０、ｂ＊　＝約２０〜約８０の範囲、又はａ＊　＝約３０〜約６０、ｂ＊　＝約６０〜約１００の範囲であることが好ましい。
また、前記インク（Ｂ）の記録媒体上での色相範囲は、ａ＊　＝約５０〜約７０、ｂ＊　＝約−７０〜約−５０の範囲、又はａ＊　＝約４０〜約６０、ｂ＊　＝約−８０〜約−６０の範囲であることが好ましい。
【００６３】
また、前記イエローインクの記録媒体上での色相範囲は、ａ＊　＝約−３０〜約２０、ｂ＊　＝約７０〜約１３０の範囲であることが好ましく、前記マゼンタインクの色相範囲は、ａ＊　＝約６０〜約９０、ｂ＊　＝約−４０〜約−１０の範囲であることが好ましく、前記シアンインクの色相範囲は、ａ＊　＝約−５０〜約−２０、ｂ＊　＝約−７０〜約−４０の範囲であることが好ましい。
【００６４】
本実施形態に係るインクには、顔料の分散安定性を高める観点から、分散剤を含有させることが好ましい。分散剤としては、この種の顔料インクにおけるものと同様のものを特に制限なく用いることができ、例えば、高分子分散剤、カチオン性界面活性剤、アニオン性界面活性剤、ノニオン性界面活性剤などが挙げられる。
【００６５】
高分子分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニルアクリル酸共重合体などが挙げられる。
【００６６】
また、カチオン性界面活性剤の例としては、ポリオキシエチレンアルキルエーテルサルフェートのアンモニウム塩などが挙げられ、アニオン性界面活性剤の例としては、ドデシルベンゼンスルホン酸ナトリウム、ラウリル酸ナトリウムなどが挙げられ、ノニオン性界面活性剤の例としては、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミドなどが挙げられる。このような分散剤は、単独で用いてもよく、また、２種以上混合して用いてもよい。
【００６７】
前記分散剤は、前記インク中において、前記顔料１重量部に対して、固形分換算で好ましくは、０．１〜１０重量部、更に好ましくは、０．３〜６重量部含有される。
また、本実施形態に係るインクには、インクの乾燥を防いでインクジェットプリンタのヘッドでの目詰りを防止する観点から、高沸点有機溶媒を含有させることができる。
【００６８】
高沸点有機溶媒としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオジグリコール、ヘキシレングリコール、グリセリン、トリメチロールエタン、トリメチロールプロパン等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等の多価アルコールのアルキルエーテル類；尿素、２−ピロリドン、Ｎ−メチル−２−ピロリドン、１，３−ジメチル−２−イミダゾリジノン、トリエタノールアミン、糖アルコール等の糖類などが挙げられ、これらの１種又は２種以上が用いられる。
【００６９】
前記高沸点有機溶媒は、前記インク中、好ましくは、０．１〜３０重量％、更に好ましくは、０．５〜２０重量％含有される。
【００７０】
また、本実施形態に係るインクには、インクの乾燥時間を短縮する観点から、低沸点有機溶媒を含有させることができる。低沸点有機溶媒としては、例えば、メタノール、エタノール、ｎ−プロピルアルコール、イソプロピルアルコール、ｎ−ブタノール、ｓｅｃ−ブタノール、ｔｅｒｔ−　ブタノール、　又はイソブタノール、ｎ−ペンタノール等が挙げられ、これらの１種又は２種以上が用いられる。特に、一価アルコールが好ましい。
【００７１】
また、本実施形態に係るインクには、記録媒体への濡れ性を高めて浸透性を高める観点から、浸透促進剤を含有させることができる。浸透促進剤としては、例えば、カチオン性界面活性剤、アニオン性界面活性剤、ノニオン性界面活性剤等の各種界面活性剤；メタノール、エタノール、イソプロピルアルコール等のアルコール類；エチレングリコールモノメチルエーテル、ジエチレングリコールモノエチルエーテル、ジエチレングリコールモノブチルエーテル、トリエチレングリコールモノブチルエーテル、プロレングリコールモノブチルエーテル、プロレングリコールモノブチルエーテル等の多価アルコールの低級アルキルエーテル；１，２−ペンタンジオール、１，２−ヘキサンジオール等のジオールが挙げられ、これらの１種又は２種以上が用いられる。特に、ジエチレングリコールモノブチルエーテル、トリエチレングリコールモノブチルエーテル又は１，２−ヘキサンジオールを用いることが好ましい。
【００７２】
前記浸透促進剤は、前記インク中、好ましくは、１〜２０重量％、更に好ましくは、１〜１０重量％含有される。
前記浸透促進剤として、下記の一般式（１）で表わされるアセチレングリコール系化合物やポリシロキサン系化合物を使用することもできる。該アセチレングリコール系化合物としては、市販されているものを用いることができ、例えば、サーフィノール８２，４４０，４６５，ＳＴＧ（商品名、エア・プロダクツ・アンド・ケミカルズ社製），オルフィンＹ，オルフィンＥ１０１０（商品名、日信化学工業製）などが挙げられ、これらの１種又は２種以上が用いられる。特に、サーフィノール４６５を用いることが好ましい。また、該ポリシロキサン系化合物としては、市販品としてＢＹＫ３４８（ビックケミージャパン製）等を用いることができる。
【００７３】
該アセチレングリコール系化合物及び／又はポリシロキサン系化合物は、前記インク中、好ましくは、０．１〜５重量％、更に好ましくは、０．５〜２重量％含有される。
【００７４】
【化１】
2004066558.tif 000002
（式中、０≦ｍ＋ｎ≦５０、Ｒ１〜Ｒ４は、それぞれ独立に、炭素数１〜６のアルキル基を表わす。）
【００７５】
本実施形態に係るインクには、前記顔料の他、必要に応じて、分散剤、高沸点有機溶媒、低沸点有機溶媒、浸透促進剤を含有させ、バランスとして水を含有させる。水は、イオン交換水、限外ろ過水、逆浸透水、蒸留水等の純粋又は超純水を用いることが好ましい。特に、これらの水を、紫外線照射又は過酸化水素添加等により滅菌処理した水は、長期間に亘ってカビやバクテリアの発生が防止されるので好ましい。
【００７６】
本実施形態に係るインクには、必要に応じて、水溶性ロジン類等の定着剤、安息香酸ナトリウム等の防黴剤・防腐剤、アロハネート類等の酸化防止剤・紫外線吸収剤、キレート剤、ｐＨ調整剤等の添加剤を含有させることができ、これらの１種又は２種以上が用いられる。
【００７７】
本実施形態に係るインクには、従来公知の装置、例えば、ボールミル、サンドミル、アトライター、バスケットミル、ロールミル等を使用して、従来の顔料インクと同様に調製することができる。調製に際しては、メンブレンファイターやメッシュフィルター等を用いて粗大粒子を除去することが好ましい。
【００７８】
本発明においては、上記のようなインクを適宜組み合わせて用いることにより、メタメリズムを解消した部分と、メタメリズムが解消していない部分から構成される画像を形成することができる。
また、本発明に用いられるインクセットは、色再現性が広いにもかかわらず、前記各インクの顔料濃度が、インクジェットプリンタのノズルの目詰り等を起こすほど高くないので、インクジェット記録用として信頼性が高い。
【００７９】
本発明の別な態様は、前記記録方法に用いられるインクセットであって、少なくとも記録媒体上でのＣＩＥＬＡＢ色空間において定義される色相角Ｈ°が約８０°〜約１１０°の範囲であるイエローインク、該色相角Ｈ°が約３３０°〜約３６０°の範囲であるマゼンタインク及び該色相角Ｈ°が約２３０°〜約２６０°の範囲であるシアンインクの３色インクと、下記インク（Ａ）及び／又は下記インク（Ｂ）とを備えるインクセットを提供するものである：
インク（Ａ）：前記色相角Ｈ°が約０°〜約８０°の範囲であるインク
インク（Ｂ）：前記色相角Ｈ°が約２６０°〜約３３０°の範囲であるインク［色相角Ｈ°は、前記したとおりである。］
【００８０】
また、上記インクに加え、本発明のインクセットは、ブラックインクを備えていてもよく、また、インク（Ｃ）を備えていてもよい。
インク（Ｃ）：前記色相角Ｈ°が約１１０°〜約２３０°の範囲であるインク
なお、本発明のインクセットにおいても、上記説明が適宜適用される。
【００８１】
また、本発明の記録方法は、判別方法に利用できる。
すなわち、本発明の判別方法においては、本発明の記録方法により形成された画像を、所定の光源下で識別することにより、記録物の真偽が判別される。
具体的には、たとえば、本発明の記録方法により真正品に隠し文字または絵柄等の画像を形成することで、所定の光源下において、隠し文字または絵柄を視覚化し得る画像を形成することができ、真正品と偽造品の真偽判別をすることができるので、本発明の判別方法は、偽造品の真偽判別に利用できる。
【００８２】
上記所定の光源としては、たとえば、ＣＩＥＬＡＢにより規定されるＤ５０光源、Ｄ６５光源、Ａ光源、Ｆ１〜Ｆ１２光源からなる群より選ばれる光源を用いることができる。
前記判別方法を偽造品の真偽判別に使用した際に、前記隠し文字または絵柄が、前記イエローインク、前記マゼンタインク及び前記シアンインクのうちの少なくとも１種を用いて形成され、隠し文字または絵柄以外の画像を、前記イエローインク、前記マゼンタインク及び前記シアンインクのうちの少なくとも１種と、１種以上の特色インクとを用いて形成されることが好ましい。
【００８３】
また、本発明の記録方法により、カードなどの記録媒体に画像を形成することで、カードの真偽判別に役立てることができ、セキュリティーチェックなどにも利用できる。
【００８４】
また、本発明の記録方法は、本発明の記録方法により画像を形成することにより、所定の光源下で、特定の文字、絵柄などの画像が浮かび挙がる（視覚化し得る）記録物を提供することができるので、意外性があり、観者を惹きつける記録物を提供できる。
このような記録方法により形成された記録物は、たとえば、アミューズメント用途、エンターテインメント用途にも利用でき、たとえば、遊戯用カードや絵本などにも利用できる。
さらに、本発明の記録方法は、サインディスプレー用途などにも応用が可能であり、たとえば、サインディスプレーにおいて、光源を変更することで別の画像を浮かび上がらせることが可能である。したがって、観者を惹きつける広告を作成することができる。
【００８５】
本発明の記録物は、前記記録方法を用いて記録されたものである。
なお、当該記録物は、特定の光源下において浮かび上がる画像を、目視によっても確認することができるが、本発明の効果を達成し得る限り、目視以外の方法で確認することを妨げるものではない。
【００８６】
また、本発明の記録装置は、前記記録方法を実現するための記録装置であり、たとえば、上記インクセットを備えたプリンターなどが挙げられる。
【００８７】
【実施例】
［実施例１］
インクの調製
イエロー、マゼンタ、シアンの３原色インク、並びに特色インクＡ１、特色インクＢ１、特色インクＣ１を、それぞれ下記の組成で調製した。調製は、以下の手順で行った。
まず、顔料と分散剤と水を混合し、サンドミル（安川製作所製）中で、ガラスビーズ（直径１．７ｍｍ、混合物の１．５倍量（重量））とともに２時間分散させた後、ガラスビーズを取り除き、顔料分散液を調製した。
次いで、顔料、分散剤、水を除く他の成分（溶剤）を混合し、インク溶媒とした。このインク溶媒を、攪拌している上記顔料分散液中に徐々に滴下し、常温で２０分攪拌した。その後、５μｍのメンブランフィルターで不溶成分をろ過し、インクジェット記録用インクを得た。
得られたインクを組み合わせてインクセット１とした。
【００８８】
（イエローインク）
顔料（Ｃ．Ｉ．ピグメントイエロー７４）　　　　　　　　　３．５重量％
分散剤（スチレン−アクリル酸共重合体）　　　　　　　　　　　１重量％
トリエチレングリコールモノブチルエーテル　　　　　　　　　１０重量％
グリセリン　　　　　　　　　　　　　　　　　　　　　　　　　８重量％
イオン交換水　　　　　　　　　　　　　　　　　　　　　　　　　残量
【００８９】
（マゼンタインク）
顔料（Ｃ．Ｉ．ピグメントレッド１２２）　　　　　　　　　　　２重量％
分散剤（スチレン−アクリル酸共重合体）　　　　　　　　　　　１重量％
トリエチレングリコールモノブチルエーテル　　　　　　　　　１０重量％
グリセリン　　　　　　　　　　　　　　　　　　　　　　　　　５重量％
ジエチレングリコール　　　　　　　　　　　　　　　　　　　　５重量％
イオン交換水　　　　　　　　　　　　　　　　　　　　　　　　　残量
【００９０】
（シアンインク）
顔料（Ｃ．Ｉ．ピグメントブルー１５：３）　　　　　　　　１．５重量％
分散剤（スチレン−アクリル酸共重合体）　　　　　　　　　　　１重量％
トリエチレングリコールモノブチルエーテル　　　　　　　　　１０重量％
ジエチレングリコール　　　　　　　　　　　　　　　　　　　１０重量％
イオン交換水　　　　　　　　　　　　　　　　　　　　　　　　　残量
【００９１】
（特色インクＡ１：レッドインク）
顔料（Ｃ．Ｉ．ピグメントレッド１７８）　　　　　　　　　　　２重量％
分散剤（スチレン−アクリル酸共重合体）　　　　　　　　　　　１重量％
トリエチレングリコールモノブチルエーテル　　　　　　　　　１０重量％
ジエチレングリコール　　　　　　　　　　　　　　　　　　　１０重量％
イオン交換水　　　　　　　　　　　　　　　　　　　　　　　　　残量
【００９２】
（特色インクＢ１：ブルーインク）
顔料（Ｃ．Ｉ．ピグメントブルー６０）　　　　　　　　　　　　２重量％
分散剤（スチレン−アクリル酸共重合体）　　　　　　　　　　　１重量％
トリエチレングリコールモノブチルエーテル　　　　　　　　　１０重量％
グリセリン　　　　　　　　　　　　　　　　　　　　　　　　　８重量％
イオン交換水　　　　　　　　　　　　　　　　　　　　　　　　　残量
【００９３】
（特色インクＣ１：グリーンインク）
顔料（Ｃ．Ｉ．ピグメントグリーン７）　　　　　　　　　　　　３重量％
分散剤（スチレン−アクリル酸共重合体）　　　　　　　　　　　１重量％
トリエチレングリコールモノブチルエーテル　　　　　　　　　１０重量％
グリセリン　　　　　　　　　　　　　　　　　　　　　　　　　５重量％
ジエチレングリコール　　　　　　　　　　　　　　　　　　　　５重量％
イオン交換水　　　　　　　　　　　　　　　　　　　　　　　　　残量
【００９４】
（ブラックインク）
顔料（カーボンブラックＭＡ７，三菱化学（株）製）　　　　　　５重量％
分散剤（スチレン−アクリル酸共重合体）　　　　　　　　　　　１重量％
トリエチレングリコールモノブチルエーテル　　　　　　　　　１０重量％
グリセリン　　　　　　　　　　　　　　　　　　　　　　　　１０重量％
イオン交換水　　　　　　　　　　　　　　　　　　　　　　　　　残量
なお、上記各インクの全量を、１００重量％とする。
【００９５】
＜評価１：目視による評価＞
上記インクをインクジェットプリンターＰＭ−４０００ＰＸ（セイコーエプソン（株）製）に充填し、モノクロの諧調ベタパターン（グレースケール）を出力し、専用記録媒体（光沢フィルム、セイコーエプソン（株）製）に印刷した。
上記イエロー（Ｙ）、マゼンタ（Ｍ）及びシアン（Ｃ）の３色インク、特色インクＡ１，Ｂ１及びＣ１（レッド、ブルー及びグリーンインク）並びにブラックインクを用いて、ＣＩＥで規定のＬ＊ａ＊ｂ＊表色系でＤ５０光源下でのＬ＊ａ＊ｂ＊が（Ｌ＊，ａ＊，ｂ＊）＝（５０，０，０）となるようにグレースケール部を調色し、記録するパターンにおいて、グレースケール部のパターンの一部のみをイエロー（Ｙ）、マゼンタ（Ｍ）及びシアン（Ｃ）の３色インクのみで、Ｄ５０光源下でＬ＊ａ＊ｂ＊が（Ｌ＊，ａ＊，ｂ＊）＝（５０，０，０）となるように調色し、記録した。ＹＭＣの３色インクのみで記録を行った部分は、文字（アルファベット）の形状を形成するように、パーソナルコンピュータ（ＰＣ）でパターンを作製した後、インクジェットプリンターで出力（印字）することにより形成した。
【００９６】
評価結果
グレースケール部分を太陽光下で目視で観察した結果、イエローインク、マゼンタインク、シアンインクの３色インクを用いて印刷を行った部分の色のみが変化し、アルファベットが目視で確認できた。
【００９７】
＜評価２：色差および反射率の測定＞
上記インクをインクジェットプリンターＰＭ−４０００ＰＸ（セイコーエプソン（株）製）に充填し、モノクロの諧調ベタパターン（グレースケール）を出力し、専用記録媒体（光沢フィルム、セイコーエプソン（株）製）に印刷した。
（１）上記イエロー（Ｙ）、マゼンタ（Ｍ）及びシアン（Ｃ）の３色インク、並びに特色インクＡ１，Ｂ１及びＣ１（レッド、ブルー及びグリーンインク）（以下、Ｈｉ−Ｆｉインクという）を用いて、ＣＩＥで規定のＬ＊ａ＊ｂ＊表色系でＤ５０光源下でのＬ＊ａ＊ｂ＊が（Ｌ＊，ａ＊，ｂ＊）＝（５０，０，０）となるようにグレースケール部を調色し、記録するパターンにおいて、グレースケール部のパターンの一部のみを（２）イエロー（Ｙ）、マゼンタ（Ｍ）及びシアン（Ｃ）の３色インクのみで、Ｄ５０光源下でＬ＊ａ＊ｂ＊が（Ｌ＊，ａ＊，ｂ＊）＝（５０，０，０）となるように調色し、記録した。
【００９８】
上記のように記録したグレースケール部において、（１）Ｈｉ−Ｆｉインクを用いて印刷を行った部分と、（２）上記Ｙ，Ｍ，Ｃの３色インクを用いて印刷を行った部分の色差を、分光光度計ＧＲＥＴＡＧ　ＳＰＭ５０（ＧＲＥＴＡＧ社製）を用いて、Ｄ５０光源およびＡ光源下で測定した。結果を表１に示す。
【００９９】
また、９３８　Ｓｐｅｃｔｏｒｏｄｅｎｓｉｔｏｍｅｔｅｒ（Ｘ−ｒｉｔｅ社製）を用いて、Ｄ５０光源およびＡ光源下で測色し、光源波長４００〜７００ｎｍにおける反射光の分光特性を調べた。結果を表２に示す。
【０１００】
【表１】
2004066558.tif 000003
【０１０１】
【表２】
2004066558.tif 000004
【０１０２】
【発明の効果】
本発明の記録方法によれば、隠し文字又は絵柄等の画像の印刷が可能であり、また、本発明の記録方法により形成された画像は、所定の光源下で、目視により判別が可能であるため、簡便に、形成された隠し文字等の判別ができる。また、このような隠し文字等を利用することにより、偽造品の真偽判別を行うことができ、さらに、このような隠し文字等を印刷した記録物を用いることで、セキュリティーの向上等に寄与することができる。
また、本発明の記録方法によれば、所定の光源で特定の文字、絵柄等の画像を視覚化し得るので、意外性があり、観者を惹きつける記録物を提供することができ、絵本、遊戯カードなどのアミューズメントまたはエンターテイメント用途、あるいは、広告などに利用することができる。
また、本発明では、インクとして、特殊な物質（例：ある種の蛍光物質）を用いないため、インクジェットのノズルの目詰まりを生じさせることがなく、ドット抜けなどのない良好な記録物を提供できる。
【図面の簡単な説明】
【図１】図１は、本発明のインクジェット記録方法により得られた混色部分の分光特性を示す模式図である。
【図１】
2004066558.tif 000005